(57)【要約】      （修正有）【課題】大きな呼吸空間を実現でき、携行利便性、衛生安全性及び見た目を向上させた折り畳み可能な三面型立体マスクを提供する。【解決手段】一体成形された対称マスク部１０と、対称マスク部の上縁部１１と下縁部１２にそれぞれ接合されている上方マスク部２０と下方マスク部３０とを備える。対称マスク部は、末端が互いに離れている、左側縁部の中心点１３Ｃから右側縁部の中心点１４Ｃに向かって横方向に伸びる左折り曲げ線１５と、右側縁部の中心点１４Ｃから左側縁部の中心点１３Ｃに向かって横方向に伸びる右折り曲げ線１６とを有する。上縁部と下縁部とを位置あわせして対称マスク部を折り畳むと、上方マスク部、下方マスク部と同じ細長い形状となり、携行しやすくなる。【選択図】図２
0003192589.tif 000002
【実用新案登録請求の範囲】
【請求項１】
一体成形された対称マスク部と、上方マスク部及び下方マスク部と、少なくとも１つの掛け紐とを備え、
該対称マスク部は、上縁部及び下縁部と、左側縁部及び右側縁部と、左折り曲げ線及び右折り曲げ線とを有し、該上縁部と該下縁部は、長さが同じであって形状が互いに対称し、該左側縁部と該右側縁部のそれぞれは、該上縁部と該下縁部との間に位置し、該左折り曲げ線は、左側縁部の中心点から右側縁部の中心点に向かって横方向に伸び、該右折り曲げ線は、右側縁部の中心点から左側縁部の中心点に向かって横方向に伸び、且つ該左折り曲げ線と該右折り曲げ線は末端が互いに離れており、
該上方マスク部は、該対称マスク部の上縁部に接合され、該下方マスク部は、該対称マスク部の下縁部に接合され、
該掛け紐は、該対称マスク部の左側縁部と右側縁部に接続され、
該上縁部と該下縁部とを位置あわせして該対称マスク部を折り畳むと、該対称マスク部は、形状が同じである上方シート体及び下方シート体となり、該上方マスク部と該上方シート体は形状が同じであり、該下方マスク部と該下方シート体は形状が同じである、折り畳み可能な三面型立体マスク。
【請求項２】
該上方マスク部と該対称マスク部との間には、該対称マスク部の右折り曲げ線から該上縁部を経由して左折り曲げ線へ伸びて該対称マスク部と該上方マスク部とを接合する上方円弧接合線が設けられている、請求項１に記載の折り畳み可能な三面型立体マスク。
【請求項３】
該上方マスク部と該対称マスク部との間に、該対称マスク部の右側縁部から該上縁部を経由して左側縁部に延びて該対称マスク部と該上方マスク部とを接合する上方外縁部接合線が設けられている、請求項１に記載の折り畳み可能な三面型立体マスク。
【請求項４】
該上方マスク部と該対称マスク部との間に、該対称マスク部の右側縁部から該上縁部を経由して左側縁部に延びて該対称マスク部と該上方マスク部とを接合する上方外縁部接合線が設けられている、請求項２に記載の折り畳み可能な三面型立体マスク。
【請求項５】
該下方マスク部と該対称マスク部との間には、該対称マスク部の右折り曲げ線から該下縁部を経由して左折り曲げ線へ伸びて該対称マスク部と該下方マスク部とを接合する下方円弧接合線が設けられている、請求項１に記載の折り畳み可能な三面型立体マスク。
【請求項６】
該下方マスク部と該対称マスク部との間には、該対称マスク部の右折り曲げ線から該下縁部を経由して左折り曲げ線へ伸びて該対称マスク部と該下方マスク部とを接合する下方円弧接合線が設けられている、請求項２に記載の折り畳み可能な三面型立体マスク。
【請求項７】
該下方マスク部と該対称マスク部との間に、該対称マスク部の右側縁部から該下縁部を経由して左側縁部に延びて該対称マスク部と該下方マスク部とを接合する下方外縁部接合線が設けられている、請求項１に記載の折り畳み可能な三面型立体マスク。
【請求項８】
該下方マスク部と該対称マスク部との間に、該対称マスク部の右側縁部から該下縁部を経由して左側縁部に延びて該対称マスク部と該下方マスク部とを接合する下方外縁部接合線が設けられている、請求項５に記載の折り畳み可能な三面型立体マスク。
【請求項９】
該上方マスク部と該対称マスク部との間には、該対称マスク部の右折り曲げ線から該上縁部を経由して左折り曲げ線へ伸びて該対称マスク部と該上方マスク部とを接合する上方円弧接合線が設けられ、且つ該上方マスク部と該対称マスク部との間には、該対称マスク部の右側縁部から該上縁部を経由して左側縁部に延びて該対称マスク部と該上方マスク部とを接合する上方外縁部接合線が設けられている、請求項８に記載の折り畳み可能な三面型立体マスク。
【請求項１０】
該左折り曲げ線と該右折り曲げ線は長さが同じである、請求項１から９のいずれか一項に記載の折り畳み可能な三面型立体マスク。
【請求項１１】
折り畳み可能な三面型立体マスクは、該上方マスク部に横向きに設置されているノーズクランプを備える、請求項１から９のいずれか一項に記載の折り畳み可能な三面型立体マスク。
【請求項１２】
折り畳み可能な三面型立体マスクは、該上方マスク部に横向きに設置されているノーズクランプを備える、請求項１０に記載の折り畳み可能な三面型立体マスク。
【請求項１３】
該上方シート体、該下方シート体、該上方マスク部及び該下方マスク部のそれぞれは、内側表面と、該内側表面の反対側の面である外側表面とを有し、該上縁部と該下縁部とを位置あわせして該対称マスク部を折り畳むと、該上方マスク部の内側表面が該上方シート体の内側表面に接触し、該下方マスク部の内側表面が該下方シート体の内側表面に接触し、該上方マスク部の外側表面が該下方マスク部の外側表面に接触する、請求項１から９のいずれか一項に記載の折り畳み可能な三面型立体マスク。
【請求項１４】
該上方シート体、該下方シート体、該上方マスク部及び該下方マスク部のそれぞれは、内側表面と、該内側表面の反対側の面である外側表面とを有し、該上縁部と該下縁部とを位置あわせして該対称マスク部を折り畳むと、該上方マスク部の内側表面が該上方シート体の内側表面に接触し、該下方マスク部の内側表面が該下方シート体の内側表面に接触し、該上方マスク部の外側表面が該下方マスク部の外側表面に接触する、請求項１０に記載の折り畳み可能な三面型立体マスク。
【請求項１５】
該上方シート体、該下方シート体、該上方マスク部及び該下方マスク部のそれぞれは、内側表面と、該内側表面の反対側の面である外側表面とを有し、該上縁部と該下縁部とを位置あわせして該対称マスク部を折り畳むと、該上方マスク部の内側表面が該上方シート体の内側表面に接触し、該下方マスク部の内側表面が該下方シート体の内側表面に接触し、該上方マスク部の外側表面が該下方マスク部の外側表面に接触する、請求項１１に記載の折り畳み可能な三面型立体マスク。
【考案の詳細な説明】
【技術分野】
【０００１】
本考案は、立体マスクに関し、特に折り畳み可能な三面型立体マスクに関するものである。  
【背景技術】
【０００２】
図６に示すように、市場でよく見られるマスクは、平面プリーツ型マスクであり、マスク本体６１と、該マスク本体６１に連結する２つの掛け紐６２と、該マスク本体６１に設けられたノーズクランプ６３とを有する。従来では、平面プリーツ型マスク内の呼吸空間を増やすために、マスク本体６０を横方向に沿って互いに折り畳むことで複数のプリーツ部６１１を形成している。
【０００３】
しかしながら、マスク本体６０に形成された複数のプリーツ部６１１によって従来技術の平面プリーツ型マスクの表面平坦性が損なわれ、装着者にとって平面プリーツ型マスクを二つ折りすることは難しいため、外出時の携行に不便である。また、従来技術のマスクでは、口や鼻と接触する裏面が埃や細菌に触れないように、保護袋を用いて外からカバーする必要がある。
【０００４】
更に、プリーツ部６１１を用いて呼吸空間を増やすためには、予めマスク本体６１を互いに等間隔に折り畳む必要があるが、このことによって従来技術の平面プリーツ型マスクの生産が難しくなる上、装着者が従来技術の平面プリーツ型マスクを装着する際に、マスク本体６１の表面はアトランダムに乱雑で凹凸する面となり、平面プリーツ型マスクの装着時の見た目が損なわれる。
【考案の概要】
【考案が解決しようとする課題】
【０００５】
従来技術のマスクに存在する欠点に鑑みて、本考案の主な目的は、大きな呼吸空間を比較的容易な製造工程で実現でき、且つ携行利便性、衛生安全性及び見た目を向上させた折り畳み可能な三面型立体マスクを提供することにある。
【課題を解決するための手段】
【０００６】
上記目的を達成するために、本考案は、
一体成形された対称マスク部と、上方マスク部及び下方マスク部と、少なくとも１つの掛け紐とを備え、
該対称マスク部は、上縁部及び下縁部と、左側縁部及び右側縁部と、左折り曲げ線及び右折り曲げ線とを有し、該上縁部と該下縁部は、長さが同じであって形状が互いに対称し、該左側縁部と該右側縁部のそれぞれは、該上縁部と該下縁部との間に位置し、該左折り曲げ線は、左側縁部の中心点から右側縁部の中心点に向かって横方向に伸び、該右折り曲げ線は、右側縁部の中心点から左側縁部の中心点に向かって横方向に伸び、且つ該左折り曲げ線と該右折り曲げ線は末端が互いに離れており、
該上方マスク部は、該対称マスク部の上縁部に接合され、該下方マスク部は、該対称マスク部の下縁部に接合され、
該掛け紐は、該対称マスク部の左側縁部と右側縁部に接続され、
該上縁部と該下縁部とを位置あわせして該対称マスク部を折り畳むと、該対称マスク部は、形状が同じである上方シート体及び下方シート体となり、該上方マスク部と該上方シート体は形状が同じであり、該下方マスク部と該下方シート体は形状が同じである、折り畳み可能な三面型立体マスクを提供する。
【０００７】
該上方マスク部と該対称マスク部との間には、該対称マスク部の右折り曲げ線から該上縁部を経由して左折り曲げ線へ伸びる上方円弧接合線が設けられ、且つ該上方マスク部と該対称マスク部との間には、該対称マスク部の右側縁部から該上縁部を経由して左側縁部に延びる上方外縁部接合線が設けられていることが好ましい。これによって。前記上方マスク部と該対称マスク部は、該上方円弧接合線と上方外縁部接合線で緊密に接合される。
【０００８】
該下方マスク部と該対称マスク部との間には、該対称マスク部の右折り曲げ線から該下縁部を経由して左折り曲げ線へ伸びる下方円弧接合線が設けられ、且つ該下方マスク部と該対称マスク部との間には、該対称マスク部の右側縁部から該下縁部を経由して左側縁部に延びる下方外縁部接合線が設けられていることが好ましい。これによって。前記下方マスク部と該対称マスク部は、該下方円弧接合線と下方外縁部接合線で緊密に接合される。
【０００９】
本考案の折り畳み可能な三面型立体マスクにおいて形成される内部呼吸空間が装着者の口に位置し、且つ見た目が向上するように、該左折り曲げ線と該右折り曲げ線は長さが同じであることが好ましい。
【００１０】
折り畳み可能な三面型立体マスクが装着者の鼻梁に密着するように、本考案の折り畳み可能な三面型立体マスクは、該上方マスク部に横向きに設置されているノーズクランプを備えることが好ましい。
【００１１】
本考案によれば、該上方シート体、該下方シート体、該上方マスク部及び該下方マスク部のそれぞれは、内側表面と、該内側表面の反対側の面である外側表面とを有し、該上縁部と該下縁部とを位置あわせして該対称マスク部を折り畳むと、該上方マスク部の内側表面が該上方シート体の内側表面に接触し、該下方マスク部の内側表面が該下方シート体の内側表面に接触し、該上方マスク部の外側表面が該下方マスク部の外側表面に接触する。これによって、本考案の折り畳み可能な三面型立体マスクは衛生安全性に優れるものとなる。
【考案の効果】
【００１２】
本考案によれば、該折り畳み可能な三面型立体マスクは以下に示す利点を有する。
（１）本考案では、左折り曲げ線と該右折り曲げ線によって対称マスク部を外側に隆起させ、折り畳み可能な三面型立体マスクの呼吸空間を大きくするようにしている。このため、本考案では、従来技術の平面プリーツ型マスクのようにマスク本体を等間隔に折り畳んで複数のプリーツを形成する必要が無く、本考案の折り畳み可能な三面型立体マスクの製造工程の簡素化及び見た目の向上を図ることができる。
（２）該対称マスク部は、互いに対称し且つ形状が同じである上方シート体及び下方シート体からなる。また、上方マスク部は、上方シート体と形状が同じであり、下方マスク部は、下方シート体と形状が同じである。このため、本考案の折り畳み可能な三面型立体マスクを細長く折り畳むことができ、本考案の折り畳み可能な三面型立体マスクの携行利便性を向上させることができる。
（３）上方マスク部の下縁部が対称マスク部の上縁部に接合され、且つ下方マスク部の下縁部が対称マスク部の下縁部に接合されるため、上方マスク部の内側表面と上方シート体の内側表面とを接触させ、下方マスク部の内側表面と該下方シート体の内側表面とを接触させ、上方マスク部の外側表面と下方マスク部の外側表面とを接触させることができ、本考案の折り畳み可能な三面型立体マスクの使用時の衛生安全性を向上させることができる。
【図面の簡単な説明】
【００１３】
【図１】本考案に係る折り畳み可能な三面型立体マスクの斜視図である。
【図２】本考案に係る折り畳み可能な三面型立体マスクの分解斜視図である。
【図３】結合することによって折り畳み可能な三面型立体マスクの対称マスク部を形成する対称シート体の結合する前及び結合する後の状態を示す模式図である。
【図４】本考案に係る折り畳み可能な三面型立体マスクが折り畳まれた状態を示す断面斜視図である。
【図５】本考案に係る折り畳み可能な三面型立体マスクの装着状態を示す図である。
【図６】従来技術の平面プリーツ型マスクの斜視図である。
【考案を実施するための形態】
【００１４】
以下、下記の具体例を用いて本考案の実施形態を説明するが、当業者は本明細書の内容から本考案がもたらす利点及び効果を容易に理解でき、且つ本考案の要旨を逸脱しない範囲において、様々な修正或いは変更を行って本考案を実行又は利用することができる。
【００１５】
図１に示すように、本考案は、対称マスク部１０と、上方マスク部２０と、下方マスク部３０と、掛け紐４１と、掛け紐４２と、ノーズクランプ５０とを有する折り畳み可能な三面型立体マスク１を提供する。
【００１６】
図１及び図２に示すように、該対称マスク部１０は上縁部１１と、下縁部１２と、左側縁部１３と、右側縁部１４と、左折り曲げ線１５と、右折り曲げ線１６とを有する。
【００１７】
該上縁部１１と該下縁部１２は形状が互いに対称すると共に、該上縁部１１と該下縁部１２は長さが同じである。該左側縁部１３は、該上縁部１１の左端部と該下縁部１２の左端部との間に位置する。該右側縁部１４は、該上縁部１１の右端部と該下縁部１２の右端部との間に位置する。該左折り曲げ線１５は、左側縁部１３の中心点１３Ｃから右側縁部１４の中心点１４Ｃに向かって横方向に伸びる。該右折り曲げ線１６は、右側縁部１４の中心点１４Ｃから左側縁部１３の中心点１３Ｃに向かって横方向に伸びる。該左折り曲げ線１５と右折り曲げ線１６は、末端が互いに離れており、且つ長さが同じである。
【００１８】
図３に示すように、該対称マスク部１０は対称シート体１０Ａによって構成されている。該対称シート体１０Ａは、上縁部１１Ａ、下縁部１２Ａ、左上側縁部１３１Ａ、左下側縁部１３２Ａ、右上側縁部１４１Ａ、右下側縁部１４２Ａ、左上結合縁部１５１Ａ、左下結合縁部１５２Ａ、右上結合縁部１６１Ａ及び右下結合縁部１６２Ａを有する。上縁部１１Ａと下縁部１２Ａは互いに対称し且つ長さが同じであり、左上側縁部１３１Ａと左下側縁部１３２Ａは互いに対称し且つ長さが同じであり、右上側縁部１４１Ａと右下側縁部１４２Ａは互いに対称し且つ長さが同じであり、左上結合縁部１５１Ａと左下結合縁部１５２Ａは互いに対称し且つ長さが同じであり、右上結合縁部１６１Ａと右下結合縁部１６２Ａは互いに対称し且つ長さが同じである。該上縁部１１Ａ、該左上側縁部１３１Ａ、該左上結合縁部１５１Ａ、該左下結合縁部１５２Ａ、該左下側縁部１３２Ａ、該下縁部１２Ａ、該右下側縁部１４２Ａ、該右下結合縁部１６２Ａ、該右上結合縁部１６１Ａ、該右上側縁部１４１Ａは、この順に互いに接続して該対称シート体１０Ａの外縁部を構成する。該左上結合縁部１５１Ａと該左下結合縁部１５２Ａとが交差するように、該左上結合縁部１５１Ａは該左上側縁部１３１Ａの一端から該右下結合縁部１６２Ａに向かって伸び、該左下結合縁部１５２Ａは該左下側縁部１３２Ａの一端から該右上結合縁部１６１Ａに向かって伸びる。また、該右上結合縁部１６１Ａと該右下結合縁部１６２とが交差するように、該右上結合縁部１６１Ａは該右上側縁部１４１Ａの一端から該左下結合縁部１５２Ａに向かって伸び、該右下結合縁部１６２は右下側縁部１４２Ａの一端から該左上結合縁部１５１Ａに向かって伸びる。
【００１９】
本考案によれば、該左上結合縁部１５１Ａと該左下結合縁部１５２Ａは、互いに位置あわせされた後に熱圧接合によって互いに結合されて対称マスク部１０の左折り曲げ線１５を形成し、また、該左上側縁部１３１Ａと該左下側縁部１３２Ａは、互いに接合されて対称マスク部１０の左側縁部１３を形成する。該右上結合縁部１６１Ａと該右下結合縁部１６２Ａは、互いに位置あわせされた後に熱圧接合によって互いに結合されて対称マスク部１０の右折り曲げ線１６を形成し、また、該右上側縁部１４１Ａと該右下側縁部１４２Ａは、互いに接合されて対称マスク部１０の右側縁部１４を形成する。
【００２０】
該上方マスク部２０は、上縁部２１と、下縁部２２と、左側縁部２３と、右側縁部２４とを有する。該上方マスク部２０の左側縁部２３は、該上縁部２１の左端部と該下縁部２２の左端部の間に位置し、該上方マスク部２０の右側縁部２４は、該上縁部２１の右端部と該下縁部２２の右端部の間に位置する。
【００２１】
該上方マスク部２０では、下縁部２２が対称マスク部１０の上縁部１１に、左側縁部２３が対称マスク部１０の左側縁部１３に、右側縁部２４が対称マスク部１０の右側縁部１４に熱圧接合によって接合されることで、対称マスク部１０と上方マスク部２０との間に、対称マスク部１０の右側縁部１４から上縁部１１を経由して左側縁部１３に延びる上方外縁部接合線Ａ１が設けられている。また、該上方マスク部２０と該対称マスク部１０との間には、該対称マスク部１０の右折り曲げ線１６から該上縁部１１を経由して左折り曲げ線１５へ伸びて該対称マスク部１０と該上方マスク部２０とを接合する上方円弧接合線Ａ２が設けられている。
【００２２】
下方マスク部３０は、上縁部３１と、下縁部３２と、左側縁部３３と、右側縁部３４とを有する。該下方マスク部３０の左側縁部３３は、該上縁部３１の左端部と該下縁部３２の左端部の間に位置し、該下方マスク部３０の右側縁部３４は、該上縁部３１の右端部と該下縁部３２の右端部の間に位置する。
【００２３】
該下方マスク部３０では、上縁部３１が対称マスク部１０の下縁部１２に、左側縁部３３が対称マスク部１０の左側縁部１３に、右側縁部３４が対称マスク部１０の右側縁部１４に熱圧接合によって接合されることで、対称マスク部１０と下方マスク部３０との間に、対称マスク部１０の右側縁部１４から下縁部１２を経由して左側縁部１３に延びる下方外縁部接合線Ｂ１が設けられている。また、該下方マスク部３０と該対称マスク部１０との間には、該対称マスク部１０の右折り曲げ線１６から該下縁部１２を経由して左折り曲げ線１５へ伸びて該対称マスク部１０と該下方マスク部３０とを接合する下方円弧接合線Ｂ２が設けられている。
【００２４】
該掛け紐４１は、該対称マスク部１０の左側縁部１３に接続され、該掛け紐４２は、該対称マスク部１０の右側縁部１４に接続されている。掛け紐４１の両端部は、熱圧接合によって該対称マスク部１０の左側縁部１３に固定され、また、掛け紐４２の両端部は、熱圧接合によって該対称マスク部１０の右側縁部１４に固定されている。これによれば、装着者は、これらの掛け紐４１、４２を両耳に掛けることによって本考案の折り畳み可能な三面型立体マスク１を顔に安定的に装着することができる。
【００２５】
該ノーズクランプ５０は、本考案の折り畳み可能な三面型立体マスク１が装着者の鼻梁に密着するように、該上方マスク部２０の上縁部２１近傍に横向きに設置されている。  
【００２６】
図１及び図４に示すように、該上縁部１１と該下縁部１２とを位置あわせして左折り曲げ線１５及び右折り曲げ線１６を有する対称マスク部１０を折り畳むと、該対称マスク部１０は、形状が同じである上方シート体１７及び下方シート体１８となる。該上方シート体１７は内側表面１７１を有し、該下方シート体１８は内側表面１８１を有し、該上方マスク部２０は内側表面２５１を有し、該下方マスク部３０は内側表面３５１を有する。また、該上方マスク部２０は、該内側表面２５１の反対側の面である外側表面２５２を有し、該下方マスク部３０は該内側表面３５１の反対側の面である外側表面３５２を有する。本考案の折り畳み可能な三面型立体マスク１を装着する際、該上方シート体１７の内側表面１７１、該下方シート体１８の内側表面１８１、該上方マスク部２０の内側表面２５１及び該下方マスク部３０の内側表面３５１は装着者の口、鼻と接触する。
【００２７】
本考案によれば、該対称マスク部１０が対称的な構造を有し、且つ該上方シート体１７、該下方シート体１８、該上方マスク部２０及び下方マスク部３０は形状が同じであるため、該上縁部１１と該下縁部１２とを位置あわせして対称マスク部１０を折り畳むと、該上方マスク部２０の内側表面２５１が該上方シート体１７の内側表面１７１に接触し、該下方マスク部３０の内側表面３５１が該下方シート体１８の内側表面１８１に接触し、該上方マスク部２０の外側表面２５２が該下方マスク部３０の外側表面３５２に接触することで、該下方シート体１８、該下方マスク部３０、該上方マスク部２０及び該上方シート体１７が下方から上方へ順に畳まれる構造が形成される。
【００２８】
これによって、装着者が携行しやすいように本考案の折り畳み可能な三面型立体マスク１を細長く折り畳むことができるだけでなく、埃や細菌が付着している外側表面２５２、３５２が内側表面１７１、１８１、２５１、３５１に接触しないように、使用上の衛生安全性を確実に確保することもできる。
【００２９】
図５に示すように、本考案の折り畳み可能な三面型立体マスクの対称マスク部１０は一体成形されたマスクであり、且つ左折り曲げ線１５と右折り曲げ線（図示せず）は末端が互いに離れているため、本考案の折り畳み可能な三面型立体マスクの装着時には、左折り曲げ線１５と右折り曲げ線によって本考案の折り畳み可能な三面型立体マスク内の呼吸空間を大きくすることができると共に、対称マスク部１０の外側表面１９１の平坦性を維持することもでき、本考案の折り畳み可能な三面型立体マスクの装着時の見た目を美しくすることができる。また、対称マスク部１０を一体成形される構造とすることは、本考案の折り畳み可能な三面型立体マスクの製造工程の簡素化にも有利である。
【００３０】
上記実施例は説明のために挙げた例にすぎず、本考案の主張する権利範囲は実用新案登録請求の範囲に準じ、上述の実施例に限定されない。
【符号の説明】
【００３１】
１        折り畳み可能な三面型立体マスク
１０      対称マスク部
１０Ａ    対称シート体
１１      上縁部
１１Ａ    上縁部
１２      下縁部
１２Ａ    下縁部
１３      左側縁部
１３１Ａ  左上側縁部
１３２Ａ  左下側縁部
１３Ｃ    中心点
１４      右側縁部
１４１Ａ  右上側縁部
１４２Ａ  右下側縁部
１４Ｃ    中心点
１５      左折り曲げ線
１５１Ａ  左上結合縁部
１５２Ａ  左下結合縁部
１６      右折り曲げ線
１６１Ａ  右上結合縁部
１６２Ａ  右下結合縁部
１７      上方シート体
１７１    内側表面
１８      下方シート体
１８１    内側表面
１９１    外側表面
２０      上方マスク部
２１      上縁部
２２      下縁部
２３      左側縁部
２４      右側縁部
２５１    内側表面
２５２    外側表面
３０      下方マスク部
３１      上縁部
３２      下縁部
３３      左側縁部
３４      右側縁部
３５１    内側表面
３５２    外側表面
４１      掛け紐
４２      掛け紐
５０      ノーズクランプ
６１      マスク本体
６１１    プリーツ部
６２      掛け紐
６３      ノーズクランプ
Ａ１      上方外縁部接合線
Ａ２      上方円弧接合線
Ｂ１      下方外縁部接合線
Ｂ２      下方円弧接合線
【図１】
0003192589.tif 000003
【図２】
0003192589.tif 000004
【図３】
0003192589.tif 000005
【図４】
0003192589.tif 000006
【図５】
0003192589.tif 000007
【図６】
0003192589.tif 000008